(57)【要約】      （修正有）【課題】ビールやジュース等を充填している壜の壜口からこの壜口を密閉している王冠を抜き取ると共に抜取りと同時に開栓音に似た音を発するようにした栓抜器を提供する。【解決手段】筒状本体１の下半部内に外側可動筒部材２と内側可動筒部材３とを上下動自在に配設し、内側可動筒部材３を壜口Ｂに被せて筒状本体１を押し下げることにより、内側可動筒部材３内に配設している引掛部材５の下端引掛爪5aを王冠Ａの下端に係止させて王冠Ａの引き抜きを行うと同時に、外側可動筒部材２を上動させて筒状本体１の上半部内に装着しているシリンダ20内のピストン20を一体に外側可動筒部材２と一体に上動させ、シリンダ20の上半部内の空気を圧縮してその圧縮空気圧により、蓋部材28をシリンダ20の上端開口部から「ポン」という排気音を発生させながら瞬時に抜け出させる。【選択図】図６
2013241208.tif 000002
【特許請求の範囲】
【請求項１】
筒状本体と、筒状本体の下半部内に上下動自在に配設された外側可動筒部材と、この外側可動筒部材内に上下動自在に配設され、下端に壜口を受け入れる開口部を設け且つ上端に王冠の天面を受止する突起を有する天壁部を設けた内側可動筒部材と、天壁部の上方においてこの内側可動筒部材上に上下揺動自在に支持されたレバーと、このレバーの一端にその上端を内外方向に揺動自在に枢着され下端に王冠に係止させる引掛爪を有する引掛部材と、上記外側可動筒部材内の他端部側に設けられその下端面で上記レバーの他端上面を受止している受止部材と、レバーの他端部を常時、上方に付勢して受止部材の下端面にこのレバーの他端上面を押し付けているスプリングと、上記筒状本体の上半部内に配設された上端が開口しているシリンダと、このシリンダに内装され且つ前記外側可動筒部材と一体に上下動するピストンと、シリンダの上端開口部に着脱可能に挿嵌され、開栓時に上動するピストンにより圧縮されたシリンダ内の空気圧によってシリンダとの摩擦力に打ち勝って上方に抜け出し、且つ、抜け出した際のシリンダ内からの圧縮空気の排気によって音を発する蓋部材と、シリンダに対して前記外側可動筒部材を常時下方に付勢しているスプリングとからなることを特徴とする栓抜器。
【請求項２】
シリンダに上下摺動自在に内装しているピストンの下面中心部にロッド体の上端部を一体に固着してあり、このロッド体の下端部をシリンダの下端開口部を閉止している底面板の中心部を貫通して外側可動筒部材の天壁部に固着させ、このロッド体によりピストンと外側可動筒部材とを一体に連結していることを特徴とする請求項１に記載の栓抜器。
【請求項３】
シリンダの上端開口部に設けている蓋部材は蓋板部と、この蓋板部の外周に下方に向かって突設している環状周壁部と、環状周壁部の下端に周方向に一定間隔毎に下方に向かって垂設した一定長さの脚片部とからなり、環状周壁部の外周面と脚片部の外面とをシリンダの上端開口部の内周面に所定の摩擦力でもって密接させていることを特徴とする請求項１に記載の栓抜器。
【請求項４】
筒状本体の上端開口部に固定天板を固着してあり、この固定天板の外周部に数個の通気孔を穿設していると共に下面に、開栓時にシリンダから上方に抜け出す蓋部材を受止して蓋部材全体がシリンダから上方に離脱するのを阻止する短筒状のストッパを突設していることを特徴とする請求項１又は請求項３に記載の栓抜器。
【請求項５】
筒状本体の上端に、開栓した際にシリンダから上方に抜け出た蓋部材をシリンダの上端部内に挿嵌、復帰させる押し戻し部材を設けていると共に、固定天板の中心部にこの押し戻し部材を上下動自在に挿通、支持した支持孔を設けていることを特徴とする請求項１、請求項３または請求項４に記載の栓抜器。
【請求項６】
筒状本体の固定天板の中心部に穿設している支持孔に嵌合する頭部と、この頭部の下面から下方に突設し、上記固定天板の下面に突設している受け部材内を通じてその下部を下方に突出させている軸部と、軸部の下端に取付けられてシリンダの蓋部材の上面に当接させている押接板とからなり、この押接板の上面と固定天板の下面との対向面間に押し戻し部材を常時下方に付勢しているコイルスプリングを介在させていることを特徴とする請求項１、請求項４又は請求項５に記載の栓抜器。
【発明の詳細な説明】
【技術分野】
【０００１】
本発明は、清涼飲料水やジュース、ビールなどを充填している壜の口部に被せて押し下げることにより壜口を密閉している王冠の開栓を行うと同時に開栓時に音を発することができる栓抜器に関する。
【背景技術】
【０００２】
王冠によって密閉されているビール壜などの壜の口部に被せて押し下げることにより、壜口から王冠を抜き取ることができるように構成した栓抜器に関しては、例えば、特許文献１に記載されている。
【０００３】
この栓抜器は図８に示すように、下端が全面的に開口している一方、上端が蓋体51a によって閉止されている外側円筒体51と、外側円筒体51内に上下動可能に挿入されている内側円筒体52とを備え、内側円筒体52内に壜口Ｂを密閉している王冠Ａの抜取り機構が配設されている。なお、この内側円筒体52は外側円筒体51に対して抜け止めされている。
【０００４】
抜取り機構は、内側円筒体52の上端部に上下回動自在に枢着されたレバー53と、内側円筒体52の一端側に向けているこのレバー53の先端に上端を内側円筒体52の径方向に揺動自在に枢着させた王冠引掛部材54と、この王冠引掛部材54の下端内側に設けている王冠引掛爪44a と、上記レバー53の下方空間部内に内側円筒体52と一体に設けられてその下面に王冠の天面他端部を受止する突起部55a を突設している壁体部55と、上記レバー53の基端部側を常時上方に付勢しているスプリング56と、上記王冠引掛部材54の下端部側を常時内方に付勢しているスプリング57と、上記外側円筒体51の蓋体51a の他端部下面から下方に向かって突設し、その下端面で上記レバー53の基端部を受止している受止部材58とから構成されている。
【０００５】
このように構成した抜取り機構を備えている栓抜器によれば、王冠Ａによって密栓されている壜の口部に内側円筒体52を被せて王冠Ａの天面他端部を壁体部55の突起部55a に当接、受止させ、この状態から外側円筒体51を押し下げると、外側円筒体51の他端部に下方に向かって突設している上記受止部材58によってレバー53の基端部が押し下げられる一方、このレバー53の先端部に枢着している王冠引掛部材54が上動してその下端引掛爪54a が壜Ｂの口部表面に沿いながら王冠Ａの一端側の下端に係止すると共にこの係止状態からさらに上動して王冠Ａを上記壁体部55の突起部55a を支点としてその一端部側からこじ開けながら簡単に抜き取ることができる。
【先行技術文献】
【特許文献】
【０００６】
【特許文献１】特開平２−２１９７８６号公報
【発明の開示】
【発明が解決しようとする課題】
【０００７】
しかしながら、上記のように構成した栓抜器によれば、王冠を周囲に飛ばしたりすることなく壜口から取り外すことができるが、壜口から王冠を瞬時に勢いよく抜き取るのではなく、外側円筒体51の押下げ力によって王冠に引掛爪54a を係止させている王冠引掛部材54を上動させて王冠の一端側から他端側に向かって王冠を壜口から外していくものであるから、外側円筒体51を押し下げて開栓操作を行う手には開栓が完了した手応えが殆ど伝わらない上に、王冠の一部が壜口から外れた際に壜内の空気が外部に逃げてしまうので、王冠を勢いよく取り外した際の「ポン」という小気味のよい開栓音を生じさせることができず、宴会などにおいては雰囲気を高める演出が期待できないといった問題点があった。
【０００８】
本発明はこのような問題点に鑑みてなされたもので、その目的とするところは、壜口を密閉している王冠を簡単に開栓することができるばかりでなく、開栓が完了した際の感触を得ることができ、さらに、シャンパンの栓が抜き取られた際に発生する開栓音と同等の軽快な開栓音を発生して周囲の雰囲気を高めることができる栓抜器を提供するにある。
【課題を解決するための手段】
【０００９】
上記目的を達成するために本発明の栓抜器は、請求項１に記載したように、筒状本体と、筒状本体の下半部内に上下動自在に配設された外側可動筒部材と、この外側可動筒部材内に上下動自在に配設され、下端に壜口を受け入れる開口部を設け且つ上端に王冠の天面を受止する突起を有する天壁部を設けた内側可動筒部材と、天壁部の上方においてこの内側可動筒部材上に上下揺動自在に支持されたレバーと、このレバーの一端にその上端を内外方向に揺動自在に枢着され下端に王冠に係止させる引掛爪を有する引掛部材と、上記外側可動筒部材内の他端部側に設けられその下端面で上記レバーの他端上面を受止している受止部材と、レバーの他端部を常時、上方に付勢して受止部材の下端面にこのレバーの他端上面を押し付けているスプリングと、上記筒状本体の上半部内に配設された上端が開口しているシリンダと、このシリンダに内装され且つ前記外側可動筒部材と一体に上下動するピストンと、シリンダの上端開口部に着脱可能に挿嵌され、開栓時に上動するピストンにより圧縮されたシリンダ内の空気圧によってシリンダとの摩擦力に打ち勝って上方に抜け出し、且つ、抜け出した際のシリンダ内からの圧縮空気の排気によって音を発する蓋部材と、シリンダに対して前記外側可動筒部材を常時下方に付勢しているスプリングとからなることを特徴とする。
【００１０】
このように構成した栓抜器において、請求項２に係る発明は、シリンダに上下摺動自在に内装しているピストンの下面中心部にロッド体の上端部を一体に固着してあり、このロッド体の下端部をシリンダの下端開口部を閉止している底面板の中心部を貫通して外側可動筒部材の天壁部に固着させ、このロッド体によりピストンと外側可動筒部材とを一体に連結していることを特徴とする。
【００１１】
請求項３に係る発明は、上記シリンダの上端開口部に設けている上記蓋部材は、蓋板部と、この蓋板部の外周に下方に向かって突設している環状周壁部と、環状周壁部の下端に周方向に一定間隔毎に下方に向かって垂設した一定長さの脚片部とからなり、環状周壁部の外周面と脚片部の外面とをシリンダの上端開口部の内周面に所定の摩擦力でもって密接させていることを特徴とする。
【００１２】
さらに、請求項４に係る発明は、筒状本体の上端開口部に固定天板を固着してあり、この固定天板の外周部に数個の通気孔を穿設していると共に下面に、開栓時にシリンダから上方に抜け出す蓋部材を受止して蓋部材全体がシリンダから上方に離脱するのを阻止する短筒状のストッパを突設していることを特徴とする。
【００１３】
請求項５に係る発明は、筒状本体の上端に、開栓した際に前記シリンダから上方に抜け出た前記蓋部材をシリンダの上端部内に挿嵌、復帰させる押し戻し部材を設けていると共に、上記固定天板の中心部にこの押し戻し部材を上下動自在に挿通、支持した支持孔を設けていることを特徴とする。
【００１４】
請求項６に係る発明は、上記押し戻し部材の好ましい構造に関するもので、筒状本体の固定天板の中心部に穿設している支持孔に嵌合する頭部と、この頭部の下面から下方に突設し、上記固定天板の下面に突設している受け部材内を通じてその下部を下方に突出させている軸部とからなり、この軸部の下端を蓋部材の上面中央部に一体に連結していることを特徴とする。
【発明の効果】
【００１５】
請求項１に係る発明によれば、筒状本体を把持してこの筒状本体の下半部内に設けている内側可動筒部材を王冠によって密栓されている壜の口部に被せることによって、王冠の天面を内側可動筒部材の天壁部に突設している突起に当接、受止させ、且つ、引掛部材の引掛爪を王冠の下端に係止させることができ、この状態から筒状本体をさらに押し下げることによって、外側可動筒部材の他端部側に設けている受止部材に他端部上面を当接させているレバーを介して引掛部材を上動させ、王冠の天面を受止している上記突起を支点として王冠を簡単に抜き取ることができる。
【００１６】
さらに、筒状本体の上半部内にはピストンを内装しているシリンダが配設されていると共にこのシリンダの上端開口部にシリンダ内に発生する圧縮空気圧によってシリンダの開口端から抜け出す蓋部材を挿嵌させてあり、且つ、上記ピストンは筒状本体の下半部内に設けている上記外側可動筒部材と一体に上下動するように構成しているので、筒状本体を押し下げながら上記引掛部材によって王冠を抜き取る際に、筒状本体の押し下げに応じて相対的に上動する外側可動筒部材により、ピストンを上動させてシリンダ上部内の空気を圧縮させることができると共にこの圧縮された空気圧がシリンダと蓋部材との摩擦力に打ち勝った時に蓋部材を瞬時にシリンダの上端から上方に離脱させてシリンダ内の圧縮空気を急激に排気させることができ、従って、筒状本体を押し下げている力が瞬間的に開放されて筒状本体を把持している手に開栓が完了した感触を得ることができると共に、圧縮空気の急激な排気によってシャンパンの栓が抜き取られた際に発生する開栓音と同等の「ポン」という軽快な開栓音を発生して宴会などにおいては周囲の雰囲気を高めることができる。
【００１７】
その上、開栓後に筒状本体を壜の口部に対して引き上げると、シリンダに対して外側可動筒部材を常時下方に付勢しているスプリングの復元力によって外側可動筒部材を元位置に自動的に復帰させることができると共に、上記レバーの他端部を常時、上方に付勢してスプリングの復元力によってレバーと引掛部材を元位置に復帰させ、且つ、外側可動筒部材に対して内側可動筒部材も元位置に復帰させて次の開栓に備えることができる。
【００１８】
請求項２に係る発明によれば、上記シリンダに内装しているピストンのロッド体によって該ピストンと外側可動筒部材とを一体に上下動可能に連結しているので、簡単な構造によって可動筒部材の上動を確実にピストンに伝達することができると共にシリンダの上部内の空気を円滑に所定の圧力にまで圧縮することができる。
【００１９】
請求項３に係る発明によれば、上記シリンダの上端開口部に設けている上記蓋部材は、蓋板部と、この蓋板部の外周に下方に向かって突設している環状周壁部と、環状周壁部の下端に周方向に一定間隔毎に下方に向かって垂設した一定長さの脚片部とからなり、環状周壁部の外周面と脚片部の外面とをシリンダの上端開口部の内周面に所定の摩擦力でもって密接させているので、蓋板部の外周から垂設している複数片の脚片部をシリンダの内周面に均等に摺接させながら蓋部材を上下方向に安定した姿勢であって正確に摺動させることができ、開栓時にシリンダの上部内に発生するピストンの上動による圧縮空気を蓋板部の下面全面に均等に作用させて蓋部材の蓋板部を円滑に且つ瞬時にシリンダから上方に抜け出させることができる。
【００２０】
さらに、蓋板部がシリンダから上方に離れると、隣接する脚片部の上端部間の空間部がシリンダから外部に突出してシリンダ内の圧縮空気をこれらの空間部から瞬時に外部に排出させることができ、従って、開栓が終了してもこれらの脚片部の上端部以外の長さ部分がシリンダの内面に摺接した状態で残って、この脚片部をガイドとして蓋部材を元の閉蓋状態となるように簡単且つ正確に押し戻すことができ、次の開栓に待機させることができる。
【００２１】
請求項４に係る発明によれば、筒状本体の上端開口部に固定天板を固着してあり、この固定天板の外周部に数個の通気孔を穿設しているので、開栓時に筒状本体の上半部内で発生する上記開栓音を上記通気孔から外部に漏洩させて明確に伝えることができ、また、この固定天板の下面に、開栓時にシリンダから上方に抜け出す蓋部材を受止して蓋部材全体がシリンダから上方に離脱するのを阻止する短筒状のストッパを突設しているので、シリンダ内に発生する圧縮空気圧によって蓋部材が勢いよくシリンダの上端開口部から抜け出しても、蓋板部の外周から垂設している上記複数の脚片部をシリンダ内に残しておくことができ、上述のように次の開栓準備が簡単に行える。
【００２２】
請求項５に係る発明によれば、筒状本体の上端に、開栓した際に前記シリンダから上方に抜け出た前記蓋部材をシリンダの上端部内に挿嵌、復帰させる押し戻し部材を設けていると共に、上記固定天板の中心部にこの押し戻し部材を上下動自在に挿通、支持した支持孔を設けているので、開栓時にシリンダの上端開口部から蓋部材が上方に抜け出した際にこの蓋部材の上動によって押し戻し部材を固定天板から上方に突出させることができ、従って、開栓後にこの押し戻し部材を筒状本体内に押し下げることにより、蓋部材を簡単にシリンダの上端開口部に挿嵌、復帰させることができる。
【００２３】
さらに、請求項６に係る発明によれば、上記押し戻し部材は、筒状本体の固定天板の中心部に穿設している支持孔に嵌合する頭部と、この頭部の下面から下方に突設し、上記固定天板の下面に突設している受け部材内を通じてその下部を下方に突出させている軸部とからなり、軸部の下端をシリンダの蓋部材の上面中央部に一体に連結させているので、開栓前においては押し戻し部材の頭部が固定天板の中心部に設けている支持孔に係合し、軸部が筒状本体内に収納された状態となって、押し戻し部材の損傷等を防止することができるばかりでなく、開栓の準備が完了しているのを認識することができ、開栓後においては、固定天板から突出した押し戻し部材の頭部を下方に押し下げることにより、軸部下端に連結している蓋部材をシリンダの上端開口部に簡単に挿嵌させることができる。
【００２４】
その上、開栓後にピストンや内外可動筒部材が元位置に自動復帰して開栓の順次が完了しているにもかかわわず、押し戻し部材が筒状本体の固定天板から上方に突出している場合には、蓋部材がシリンダの上端開口部に挿嵌していないことを認識することができる。なお、このように蓋部材がシリンダの上端開口部に挿嵌していなくてもピストンや内外可動筒部材が元位置に自動復帰しているので、音が発生しないが開栓を行うことができる。
【図面の簡単な説明】
【００２５】
【図１】本発明栓抜器の縦断側面図。
【図２】その縦断正面図。
【図３】筒状本体を分割した状態の内部構造を示す斜視図。
【図４】レバーと内側可動筒部材と外側可動筒部材との分解斜視図。
【図５】内側可動筒部材を壜口に被せた状態の要部の縦断側面図。
【図６】開栓と共に蓋部材がシリンダから抜け出した状態を示す縦断側面図。
【図７】開栓後に壜口を内側可動筒部材内から離脱させた状態の縦断側面図。
【図８】従来の栓抜き器の構造を示す縦断側面図。
【発明を実施するための形態】
【００２６】
本発明の具体的な実施例を図面について説明すると、図１〜図４において、栓抜器の本体は縦長円筒形状に形成された筒状本体１からなり、この筒状本体１の下半部内に壜口Ｂ（図５に示す）を密閉している王冠Ａの開栓機構を備え、上半部内に王冠Ａの開栓と連動してシャンパンの栓を抜いた時のような「ポン」という快音を発生する音発生機構を配設している。なお、開栓機構及び音発生機構の具体的な構造については後述する。
【００２７】
筒状本体１の下半部内には、上端開口部が天壁部2aによって閉止され、下端が全面的に開口している外側可動筒部材２が上下動自在に配設されてあり、この外側可動筒部材２内に開栓機構を備えた内側可動筒部材３が上下動自在に配設されている。
【００２８】
内側可動筒部材３は外側可動筒部材２よりも長さが短くて外側可動筒部材２の下半部内に配設されてあり、その上端に一半部側の上面が水平面に、他半部側の上面が斜め下方に向かって傾斜した傾斜面に形成されている天壁部3aを設けていると共に、この天壁部3aにおける上記上面が水平面に形成されている一端部に上下方向に貫通した孔４を設けてあり、この孔４に、下端に王冠Ａに係止させる引掛爪5aを有する引掛部材５を挿通し、孔４から上方に突出しているこの引掛部材５の上端部を天壁部3aの上方に配設しているレバー６の一端部にピン７によって内外方向に揺動自在に枢着している。
【００２９】
内側可動筒部材３の天壁部3aにおける上記水平面に形成された一端側の上面には、図４に示すように、両側方に一定の間隔を存して一対の軸受片８、８を突設してあり、この軸受け片８、８に内側可動筒部材３の一端側に向けている上記レバー６の先端部をピン９によって上下回動自在に支持させている。
【００３０】
レバー６は上記軸受片８、８に支持させているピン９から先端までの長さよりもピン９から内側可動筒部材の他端側に向けている基端までの長さを長くしてあり、このレバー６の基端部上面と、内側可動筒部材３の天壁部3aの一端に上方に向かって突設している突片3bの上端とを引張りスプリング10によって連結して、この引張りスプリング10の引張力によりレバー６をピン９を支点としてその基端部側が常時上方に回動する方向に付勢している。
【００３１】
上記内側可動筒部材３の下端開口部は、壜口Ｂが受入可能な大きさに形成されていると共にその開口縁の一端側に壜口Ｂの外周面の一部を受止する壜口受止突片11を内方に向かって突設してあり、さらに、内側可動筒部材３の上記天壁部3aの上面が傾斜した他半部における下面に下方に向かって壜口Ｂを密閉した王冠Ａの天面他端部を受止する突起3cを下方に向かって突設していると共にこの突起3cに隣接して天壁部3aの他端部下面に王冠Ａの周壁部を受止する王冠支持壁3dを形成している。この王冠支持壁3dは、内側可動筒部材３の他端部内に配設されている上記引掛部材５の引掛爪5aに対向して設けられている。
【００３２】
さらに、上記外側可動筒部材２の天壁部2aの他端部下面に、上記レバー６の基端部上面を受止する受止部材12を下方に向かって突設してあり、上記引張りスプリング10の引張力によって上方に付勢されているレバー６の基端部上面をこの受止部材12の下端面で常時、受止している。また、上記引掛部材５と内側可動筒部材の他端部内面との間の隙間に、板バネ又はコイルバネ等のバネ13を装着してあり、このバネ13の弾発力によって引掛部材５の引掛爪5aを王冠Ａの下端に係止可能な位置まで内方に向かって付勢している。
【００３３】
そして、上記外側可動筒部材２の天壁部2aの他端部下面に突設した受止部材12と引掛部材５とレバー６、及び、内側可動筒部材３の天壁部3aの他端部下面に突設した突起3cと、引張りスプリング10、バネ13とによって開栓機構を構成している。なお、内側可動筒部材３の外周面数個所に図４に示すように縦溝14を全長に亘って設けてあり、この縦溝14を外側可動筒部材２の内周面数個所に縦方向に設けているガイド突条15に上下摺動自在に係合させて内側可動筒部材３が周方向に妄動するのを防止し、外側可動筒部材２側の受止部材12の下端面にレバー６の基端部上面を常に衝合させた状態を維持している一方、筒状本体１の下端部内周面にガイド筒体16を取付けていてこのガイド筒体16の内周面に沿って外側可動筒部材２を上下動させるように構成している。
【００３４】
また、外側可動筒部材２の下端開口部内周面に突縁部2bを形成する一方、内側可動筒部材の外周面下端部に上記突縁部2bに係合した切欠段部3eを設けて、外側可動筒部材２から内側可動筒部材３が下方に抜け出るのを防止している。さらに、内側可動筒部材３の下端開口部における他端部に磁石片17を装着してあり、上記開栓機構によって壜口Ｂから抜き取られた王冠Ａを吸着、保持させるように構成している。
【００３５】
一方、上記筒状本体１の上半部内にはシリンダ20が装着、固定されてあり、このシリンダ20の上端は全面的に開口している一方、下端開口部は外周部に通気孔22を設けている底面板21によって閉止されている。シリンダ20にはピストン23が上下摺動自在に内装されている。さらに、このピストン23の下面中心部にロッド体24の上端部を固着していると共に、このロッド体24はシリン20の上記底面板21の中心部に設けている貫通孔25を挿通して下方に突出してあり、その下端部を上記外側可動筒部材２の天壁部2aの中央部に固着している。従って、ピストン23と外側可動筒部材２とはこのロッド体24を介して一体に上下動するように構成されている。
【００３６】
さらに、シリンダ20の上記底面板21と外側可動筒部材２の天壁部2aとの対向面間にコイルスプリング26を圧縮状態にして介在させてその上端をシリンダ20の底面板21の下面中央部に支持させ、下端を外側可動筒部材２の天壁部2aの上面中央部に支持させてあり、従って、このコイルスプリングの弾性力により外側可動筒部材２を常時下方に向かって付勢している。なお、ピストン23の外周面にはシリンダ20の内周面に摺動可能に圧接したＯリング27が装着されている。
【００３７】
シリンダ20の上端開口部には蓋部材28が着脱可能に挿嵌されている。この蓋部材28は、一定厚みを有する円板形状の蓋板部28a と、この蓋板部28a の外周端から下方に向かって突設している環状周壁部28b と、この環状周壁部28b の下端に周方向に一定間隔毎に下方に向かって垂設している一定長さの数片の脚片部28c とからなり、蓋板部28a と環状周壁部28b とは同一径であってその外周面をシリンダ20の上端部内周面に上方に向かって抜け出し可能に嵌合させていると共に、環状周壁部28b の下端から下方に垂設している上記複数の脚片部28c の外面はシリンダ20の内周面に全面的に摺接するようにシリンダ20の内周面と同一湾曲度でもって周方向に凸円弧状に湾曲してあり、その外面を上記蓋板部28a と環状周壁部28b と共にシリンダ20の内周面に所定の摩擦力でもって密接させている。
【００３８】
そして、ピストン23が上動して上記蓋部材28の下面とこのピストン23の上面間のシリンダ20内の空気が圧縮され、その圧縮空気圧が蓋部材28とシリンダ20との摩擦力に打ち勝った時に、圧縮空気圧によって蓋部材28がシリンダ20の上端から瞬時に上方に抜け出してシリンダ20内の圧縮空気が瞬間的に排気され、この排気によって「ポン」という音を発するように構成している。このように、シリンダ20に内装しているピストン23と、シリンダ20の上端開口部に所定の摩擦力でもって挿嵌している蓋部材28とによって開栓時の擬音である音発生機構を構成している。
【００３９】
上記筒状本体１の上端開口部には円板形状の固定天板30が固着されていてこの固定天板30により筒状本体１の上端開口部が閉止されている。この固定天板30の外周部には適宜大きさを有する複数個の通気孔31が上下面間に亘って貫設していると共に、中心部には、シリンダ20の上端開口部から上記蓋部材28が上方に抜け出た際に、蓋部材28を元の閉止位置に押圧、復帰させる押し戻し部材32を上下動自在に挿通、支持した支持孔33が設けられている。この支持孔33は、その上部を大径孔部に、下部を小径孔に形成して大径孔部の下端に環状の支持面33a を設けている。なお、筒状本体１の上端部周壁面の数カ所にも通気孔31a が設けられている。
【００４０】
押し戻し部材32は、上記支持孔33の大径孔部に嵌合してその下端面を大径孔部の上記支持面33a に受止させている頭部32a と、頭部の下面中央から上記支持孔33の小径孔部を通じて下方に突出している一定長さを有する軸部32b とからなり、この軸部32b の下端をシリンダ20の上記蓋部材28の上面中央部に一体に連結させてあり、頭部32a を支持孔33a 内に嵌合、支持させた状態においては、蓋部材28がシリンダ20の上端開口部に完全に挿嵌するように軸部32b の長さを設定している。なお、戻し部材32の軸部32b と蓋部材28との連結は、蓋部材28と軸部32b とを一体に形成することによって行っているが、別体にして軸部32b の下端を蓋部材28の上面中央部に当接させた構造であっもよい。
【００４１】
さらに、上記固定天板30の下面中央部には上記支持孔33に挿通している押し戻し部材32の軸部32b の上部を囲むようにして短筒状のストッパ34を下方に向かって突設してあり、このストッパ34の下端面から押し戻し部材32の軸部32b の下部を下方に突出させていると共にストッパ34の下端面と上記シリンダ20の上端開口部を閉止している蓋部材28の上面との間の上下幅間隔を蓋部材28の上面から環状周壁部28b の下端面間の厚み（長さ）よりも広く、蓋部材28の上面から脚片部28c の下端部までの長さよりも狭くなるように形成して、開栓時に蓋部材28がシリンダ20の上端開口部から抜け出た際に、その脚片部28c の下部がシリンダ20内に接した状態で残るように構成している。
【００４２】
次に、以上のように構成した栓抜器の作用を述べる。筒状本体１を把持してこの筒状本体１の下半部内に設けている内側可動筒部材３を王冠Ａによって密閉されている壜口Ｂに被せ、壜口Ｂの一端部側の外周面を内側可動筒部材３の下端開口部の一端側から内方に向かって突設している受止突片11に摺接させながら筒状本体１を押し下げると、内側可動筒部材３の一端部内に配設している引掛部材５の引掛爪5aの先端が王冠Ａの一端側の周壁部に摺接しながらバネ13の力に抗して後退し、王冠Ａが引掛爪5aから上方に通過して図５に示すように、王冠Ａの天面他端部が内側可動筒部材３の天壁部3aの他端部下面に突設している突起3bに当接すると共に、引掛爪5aが王冠Ａの周壁部から下方に離脱し、バネ13の復元力によって王冠Ａの一端部下端に係止した状態となる。
【００４３】
この状態にしてさらに筒状本体１を押し下げると、筒状本体１の上半部内に装着されているシリンダ20が筒状本体１と一体的に下動すると共にシリンダ20の底面板21と外側可動筒部材２の天壁部2a間に介入させているコイルスプリング26の弾発力によって外側可動筒部材２が下方に付勢される一方、内側可動筒部材３が相対的に上動して外側可動筒部材２内に押し込まれ、外側可動筒部材２の天壁部2aの他端部下面に突設している受止部材12によってレバー６の他端部側が引張スプリング10の弾発力に抗してピン９を支点として下方に押し下げられると共に、一端部側が上方に移動して引掛部材５を引き上げ、図６に示すように、内側可動筒部材３の天壁部3aの他端部下面に突設している突起3bを支点として王冠Ａが引掛部材５の引掛爪5aによってテコの原理により壜口Ｂからこじ開けられるようにして抜き取られる。
【００４４】
この王冠Ａの抜取り時において、王冠Ａの下端に係止した引掛爪5aにより王冠Ａを壜口Ｂから外そうとする力に対する王冠Ａ側の抵抗力がレバー６の他端部を押し上げようとする反力として作用し、このレバー６の他端部上に押し当てている外側可動筒部材２の上記受止部材12が上方に付勢されて外側可動筒部材２が上記コイルスプリング26を圧縮させながら上動し、この外側可動筒部材２とロッド体24によって一体に連結しているピストン23がシリンダ20内を上方に摺動して蓋部材28によって閉止されているシリンダ20の上半部内の空気を圧縮する。
【００４５】
この圧縮空気圧が増大するに従って、外側可動筒部材２の受止部材12によるレバー６の他端部側を押し下げようとする力が大きくなり、引掛部材５が王冠Ａの密栓抵抗に打ち勝って上動して上述したように壜口Ｂから抜き取られる同時に受止部材12によって押し下げられるレバー６の他端部下面が内側可動筒部材３の天壁部3aの傾斜上面に押し付けられ、この状態から筒状本体１をさらに押し下げると、開栓している王冠Ａを内側可動筒部材３の上記突起3cに押し付けた状態を維持しながら内側可動筒部材３を介して外側可動筒部材２が一体的に上動し、ロッド体24を介してピストン23をさらに上動させてシリンダ20の上半部内の空気をさらに圧縮する。
【００４６】
圧縮空気圧がシリンダ20と蓋部材28との摩擦力を越えると、蓋部材28が瞬時に上動して蓋板部28a の下端の脚片部28c の上端がシリンダ20の上端から抜け出た時にシリンダ20内の圧縮空気が隣接する脚片部28c 、28c 間の隙間から瞬時に外部に排出され、シャンパンの栓を抜き取った際に発生する音と同様な「ポン」という排気音が発生する。この音が筒状本体１の上端開口部を閉止している固定天板30の外周部に穿設している通気孔31と筒状本体１の上端部周壁に穿設している複数の通気孔31a とから外部に漏れて明確に聞き取ることができる。
【００４７】
圧縮空気圧によってシリンダ20の上端から蓋部材28が抜け出た際に、戻し部材32が蓋部材28と一体に上動してその軸部32b の上端頭部32a を筒状本体１の固定天板30の中心部に穿設している支持孔33から上方に突出させると共に、蓋部材28がシリンダ20の上端からその脚片部28c の上端部にまで抜け出した時に、この蓋部材28の蓋板部28a の上面が上記固定天板30の下面中央部に下方に向けて突設しているストッパ34の下端面に当接してそれ以上の上動を阻止され、蓋部材28の全ての脚片部28c の大部分をシリンダ20の内周面に摺接させた状態を保持すると共に戻し部材32もその軸部32b の上部を固定天板30の上記支持孔33から外部に突出した状態に保持される。
【００４８】
この状態から筒状本体１を壜口Ｂに対して相対的に上動させて壜口Ｂを内側可動筒部材３から下方に離脱させると、レバー６が引張りスプリング10の復元力によって外側可動筒部材２の受止部材12に当接している他端部をピン９を中心として上方に回動させながらその回動に従ってピン９を軸支している内側可動筒部材３を下方に押し下げて図７に示すように、引掛部材５をレバー６と共に元の状態に復帰させる。同時に外側可動筒部材２もコイルスプリング26の復元力によって元の位置に復帰する。
【００４９】
また、壜口Ｂが筒状本体１から離脱すると、壜口Ｂから抜け出た王冠Ａが壜口Ｂと共に内側可動筒部材２の下端開口部を通過する際に、この下端開口部に装着している磁石片17によって吸着、保持される。
【００５０】
一方、蓋部材28はシリンダ20から上方に抜け出た状態を保持していると共に戻し部材32も固定天板30からその頭部32a を上方に突出させた状態を保持しているので、この戻し部材32の頭部32a を押圧して戻し部材32を押し下げれば、蓋部材28がシリンダ20内に接している脚片部32c に案内されながらシリンダ20内に押し込まれ、蓋部材28がその蓋板部28aまで全面的にシリンダ20の上端部内周面に挿嵌して元の閉止状態に復帰する。
【００５１】
なお、以上の実施例においては、蓋部材28と戻し部材32とを一体にしているが、別体に形成して、戻し部材32の軸部32b の下端を蓋部材28の上面中央部に接離自在に当接させるように構成しておいてもよい。
【符号の説明】
【００５２】
Ａ  王冠
Ｂ  壜口
１  筒状本体
２  外側可動筒部材
３  内側可動筒部材
５  引掛部材
5a  引掛爪
６  レバー
10  引張りスプリング
12  受止部材
20  シリンダ
21  底面板
23  ピストン
24  ロッド体
26  コイルスプリング
28  蓋部材
28a 蓋板部
30  固定天板
32  戻し部材
【図１】
2013241208.tif 000003
【図２】
2013241208.tif 000004
【図３】
2013241208.tif 000005
【図４】
2013241208.tif 000006
【図５】
2013241208.tif 000007
【図６】
2013241208.tif 000008
【図７】
2013241208.tif 000009
【図８】
2013241208.tif 000010